(57)【要約】【課題】遊戯装置内部の部材の配置等に影響を与えずに払い出す景品の量を変化させる。【解決手段】スライドテーブル１４は、結合・分離可能に構成されたアッパーテーブル１４ａとミドルテーブル１４ｂとを有して構成される。制御装置５０は、前方センサ１１４から入力される検知信号に応じて、アッパーテーブル１４ａとミドルテーブル１４ｂを分離させる。そして、制御装置５０は、アッパーテーブル１４ａを後退させ、後方センサ１１６から入力される検知信号に応じて、アッパーテーブル１４ａとミドルテーブル１４ｂを結合させる。【選択図】　　　図７
2004105436.tif 000002
【特許請求の範囲】
【請求項１】
景品を載置する載置台と、
前記載置台上を移動自在に載置された押出部材と、
前記載置台上を周期運動するように前記押出部材を移動させる駆動部と、
を備え、
前記押出部材は、前記駆動部により駆動される被駆動部材と、従動部材と、前記被駆動部材と前記従動部材とを結合・分離する結合機構とを有し、
前記被駆動部材が第１位置に位置した際に前記結合機構を分離作動させ、第２位置に位置した際に前記結合機構を結合作動させることにより、前記載置台上の前記押出部材の運動到達領域を可変することを特徴とする景品押出装置。
【請求項２】
前記第１位置における前記結合機構の分離作動と、前記第２位置における前記結合機構の結合作動とを繰り返し行うことにより、前記運動到達領域を段階的に可変することを特徴とする請求項１に記載の景品押出装置。
【請求項３】
前記駆動部が前記押出部材を往復運動させるように移動させ、
前記第１位置が前記往復運動における一方の方向転換位置であり、前記第２位置が他方の方向転換位置であることを特徴とする請求項１又は２に記載の景品押出装置。
【請求項４】
前記押出部材は、前記被駆動部材及び前記従動部材の内の一方を上層に、他方を下層に配設した多層構造であることを特徴とする請求項１〜３の何れか一項に記載の景品押出装置。
【請求項５】
前記押出部材が、複数の前記従動部材と、当該従動部材それぞれに対応する前記結合機構とを有し、
前記複数の結合機構の内、全部又は一部の結合機構を、前記被駆動部材が前記第１位置に位置した際に分離作動させ、前記第２位置に位置した際に結合作動させることを特徴とする請求項１〜４の何れか一項に記載の景品押出装置。
【請求項６】
請求項１〜５の何れか一項に記載の景品押出装置と、
前記載置台の端部下方に配設された景品払出溝と、
前記結合機構の分離作動及び結合作動の作動タイミングを制御する制御部と、
を備えた遊戯装置。
【発明の詳細な説明】
【０００１】
【発明の属する技術分野】
本発明は、プッシャー型の遊戯装置及び当該遊戯装置に具備される景品押出装置に関する。
【０００２】
【従来の技術】
従来から、固定テーブル上をスライドテーブルが往復移動することにより、固定テーブル上の景品を押し出して払い出すプッシャー型の遊戯装置が知られている。この遊戯装置は、プレーヤによるゲームの開始指示に応じて、回転するターンテーブル上に載置された景品をショベルで掬い上げ、掬い上げた景品を固定テーブル上に落下させ、固定テーブル上を往復移動するスライドテーブルによる景品の押し出し動作により景品払出溝に落ちた景品が、プレーヤに払い出される構成となっている（例えば、特許文献１参照。）。
【０００３】
また、上記したようなプッシャー型の遊戯装置として、景品のペイアウト率を可変させるようにしたものが知られている。例えば、スライドテーブルのストロークを変更することにより、払い出す景品の量を変化させる。具体的には、メダルを払い出すプッシャーゲーム機において、ゲーム板上を往復移動するプッシャーのストロークを変更することにより、落下溝に落下させるメダルの量を変化させる技術が知られている（例えば、特許文献２。）。
【０００４】
【特許文献１】
実公平３−４５７５１号公報
【特許文献２】
特開平９−５１９８２号公報
【０００５】
【発明が解決しようとする課題】
ところで、スライドテーブルのストロークを変更する場合には、押し出し量の最大値に応じてスライドテーブルを長くする必要があり、遊戯装置内部の部材の配置等に影響を与えてしまう場合があった。
【０００６】
本発明は、上記した従来の事情に鑑みて為されたものであり、遊戯装置内部の部材の配置等に影響を与えずに払い出す景品の量を変化させることを目的とする。
【０００７】
【課題を解決するための手段】
以上の課題を解決するため、請求項１に記載の景品押出装置は、
景品を載置する載置台（例えば、図６に示す固定テーブル１２）と、
前記載置台上を移動自在に載置された押出部材（例えば、図６に示すスライドテーブル１４）と、
前記載置台上を周期運動するように前記押出部材を移動させる駆動部（例えば、図６に示すスライドテーブル駆動機構１００）と、
を備え、
前記押出部材は、前記駆動部により駆動される被駆動部材（例えば、図６に示すアッパーテーブル１４ａ）と、従動部材（例えば、図６に示すミドルテーブル１４ｂ）と、前記被駆動部材と前記従動部材とを結合・分離する結合機構（例えば、図７に示す結合機構２００）とを有し、
前記被駆動部材が第１位置に位置した際に前記結合機構を分離作動させ、第２位置に位置した際に前記結合機構を結合作動させることにより、前記載置台上の前記押出部材の運動到達領域を可変することを特徴としている。
【０００８】
景品とは、ゲームプレイで所定の条件をクリアした場合に払い出される褒美品や賞品といったもののことであり、本明細書においては、例えば、小袋分けされた飴や菓子、遊戯媒体であるメダル、おもちゃ、装飾品、各種グッズ、カプセル等を総称して景品と呼ぶ。
【０００９】
押出部材の周期運動とは、例えば、往復運動、回転運動、又は円弧運動等であってもよく、押出部材は、一定周期で同一の位置に回帰するように運動する。
【００１０】
運動到達領域とは、周期運動して移動する押出部材の縁部が到達可能な載置台上の領域のことであり、例えば、発明の実施の形態における押し出し領域に対応する。
【００１１】
この請求項１に記載の発明によれば、押出部材の有する被駆動部材と従動部材の結合位置を変更し、固定テーブル上を周期運動する押出部材の運動到達領域を変更することができる。これにより、載置台上から押し出される景品の量を変化させることができる。
【００１２】
さらに、請求項２に記載の発明は、請求項１に記載の景品押出装置において、前記第１位置における前記結合機構の分離作動と、前記第２位置における前記結合機構の結合作動とを繰り返し行うことにより、前記運動到達領域を段階的に可変することを特徴としている。
【００１３】
この請求項２に記載の発明によれば、被駆動部材と従動部材の結合位置を段階的に変更することができる。これにより、押出部材の運動到達領域を可変させることができるので、載置台上から押し出される景品の量を段階的に変化させることができる。
【００１４】
そして、請求項３に記載の発明は、請求項１又は２に記載の景品押出装置において、
前記駆動部が前記押出部材を往復運動させるように移動させ、
前記第１位置が前記往復運動における一方の方向転換位置（例えば、発明の実施の形態における、最前進位置）であり、前記第２位置が他方の方向転換位置（例えば、発明の実施の形態における、最後退位置）であることを特徴としている。
【００１５】
この請求項３に記載の発明によれば、押出部材が往復運動する際の一方の方向転換位置で被駆動部材から従動部材を分離させ、他方の方向転換位置で被駆動部材に従動部材を結合させるので、従動部材の往復運動方向の長さに応じて押出部材の運動到達領域を変更することができる。
【００１６】
また、請求項４に記載の発明は、請求項１〜３の何れか一項に記載の景品押出装置において、
前記押出部材は、前記被駆動部材及び前記従動部材の内の一方を上層に、他方を下層に配設した多層構造であることを特徴としている。
【００１７】
この請求項４に記載の発明によれば、押出部材の有する被駆動部材と従動部材とが重なり合った状態から、被駆動部材と従動部材とを分離させた状態とに変更することができる。このため、景品押出装置の形態を変化させることによる意外性のある演出を行うことができる。
【００１８】
また、請求項５に記載の発明は、請求項１〜４の何れか一項に記載の景品押出装置において、
前記押出部材が、複数の前記従動部材と、当該従動部材それぞれに対応する前記結合機構とを有し、
前記複数の結合機構の内、全部又は一部の結合機構を、前記被駆動部材が前記第１位置に位置した際に分離作動させ、前記第２位置に位置した際に結合作動させることを特徴としている。
【００１９】
この請求項５に記載の発明によれば、押出部材の有する複数の従動部材は、それぞれ対応する結合機構により被駆動部材と結合・分離される。従って、被駆動部材と従動部材それぞれとが結合される結合位置に応じて、押出部材の運動到達領域を可変させることができる。これによれば、載置台上から押し出される景品の量をより細かく変化させることができる。
【００２０】
そして、請求項６に記載の発明は、
請求項１〜５の何れか一項に記載の景品押出装置と、
前記載置台の端部下方に配設された景品払出溝（例えば、図４に示す景品払出溝６０）と、
前記結合機構の分離作動及び結合作動の作動タイミングを制御する制御部（例えば、図９に示す制御装置５０）と、
を備えた遊戯装置である。
【００２１】
この請求項６に記載の発明によれば、遊戯装置において、当該遊戯装置の備える景品押出装置により、請求項１〜５の何れか一項に記載の発明と同様の効果を奏することができる。例えば、所定のタイミングにおいて、結合機構の分離作動及び結合作動の作動タイミングを制御し、景品押出装置の備える押出部材の運動到達領域を変更することができるので、景品払出溝に落下させてプレーヤに払い出す景品の量を調整することができる。
【００２２】
【発明の実施の形態】
以下、図を参照して、本発明を適用した一実施の形態例について説明する。図１は本発明を適用した遊戯装置１の外観図であり、図２は遊戯装置１の平面図であり、図３は遊戯装置１の１つのステーションに係る要部正面図であり、図４は遊戯装置１の１つのステーションに係る要部縦断面図である。この遊戯装置１は、いわゆるプッシャー型のゲーム機と呼ばれる遊戯装置である。
【００２３】
遊戯装置１は、平面視略六角形の形状を成しており、略六角形の各辺でプレーヤが遊戯するためのステーションが６つ配設され、同時に６人のプレーヤが遊べるように構成されている。遊戯装置１は、プッシャーテーブル部１０と、掬い上げ装置２０と、ジャックポット（以下、「ＪＰ」という。）用の景品払出装置（以下、「ＪＰ用払出装置」という。）３０と、景品補充装置４０と、制御装置５０とを主に備えて構成され、制御装置５０は、遊戯装置１の動作を統括的に制御する。以下、遊戯装置１の１つのステーションに着目して、遊戯装置１の構成及び動作を簡単に説明する。説明上、上下方向は図１，３，４に向かって上下の方向とし、同図の上を上、下を下として説明する。また奥行き方向は、図３に向かって前後（手前／奥）の方向とし、スライドテーブル１４が景品払出溝６０に近づく向きを前又は手前、遠ざかる向きを後又は奥として説明する。
【００２４】
ターンテーブル７０は、景品Ｇが多数積載されたリング状の受け皿であり、遊戯装置１内を、一定方向に軸回転するように構成されている。
【００２５】
プッシャーテーブル部１０は、固定テーブル１２と、固定テーブル１２上を前後方向に摺動するスライドテーブル１４と、固定テーブル１２の前面端部に設置されたスイッチ１６とを備えて構成される。スライドテーブル１４が前後方向にスライドするため、スライドテーブル１４の前面によって固定テーブル１２上に載置された景品Ｇが移動する。固定テーブル１２上に載置された景品Ｇの密度が高いと、景品Ｇが玉突き状態となって、固定テーブル１２の前面端部から景品Ｇが落下し、景品払出溝６０から景品Ｇが払い出される。一方、固定テーブル１２上に載置された景品Ｇの密度が低いと、固定テーブル１２上の隙間を埋めるように景品Ｇが移動することとなる。また、詳細は後述するが、本実施の形態において、スライドテーブル１４は、互いに略同一の形状を有するアッパーテーブル１４ａとミドルテーブル１４ｂとを備えて構成される。
【００２６】
スイッチ１６は、景品Ｇの重力によって可動する棒状の検知バーを備えており、固定テーブル１２の前面端部から落下する景品Ｇが接触するように検知バーが設置されている。検知バーの可動によって景品Ｇの払い出しを検知すると、スイッチ１６は、検知信号を制御装置５０に出力する。
【００２７】
掬い上げ装置２０は、２本のアーム２２，２３と、ショベル２４と、ＪＰルーレット２６と、ＪＰメーター２７とを備えて構成される。２本のアーム２２，２３とショベル２４とにより所定のリンク機構が構成され、ターンテーブル７０上に載置された景品Ｇをショベル２４が掬い上げ、掬い上げた景品Ｇをプッシャーテーブル部１０に落下させるように構成されている。ＪＰルーレット２６とＪＰメーター２７とは、ショベル２４を軸支するアーム２２の前面に設置されている。遊戯装置１の操作部８０からプレーヤによる操作入力がなされると、掬い上げ装置２０による掬い上げ動作が開始される。尚、プレーヤによる操作入力は、原則、この掬い上げ装置２０に対する掬い上げ動作指示のみである。
【００２８】
ＪＰルーレット２６は、スイッチ１６により景品Ｇの払い出しが検知された場合に、制御装置５０からの制御によって起動する電子式のルーレットであり、“１”，“２”，“３”の何れかの目（以下、「ポイント」という。）を指示する。ＪＰメーター２７は、ＪＰルーレット２６によって指示されたポイントの数を累積的に表示する表示器であり、現在のポイント数を棒グラフ状に表示する。遊戯装置１は、このポイント数に応じて、「小当たり」、「中当たり」、「大当たり（ＪＰ）」の３種類の特典動作を起動するように構成されている。
【００２９】
ＪＰ用払出装置３０は、予め景品Ｇが収納されたバスケット３２と、バスケット３２を支持する支持アーム３４とを備えて構成される。バスケット３２は、支持アーム３４の一端に軸支されており、支持アーム３４の他端を軸中心として支持アーム３４が手前側に回転する（プレーヤに向かって倒れてくる）ことにより、バスケット３２の上面開口部から景品払出溝６０へ景品Ｇが落下するよう構成されている。この支持アーム３４の回転動作は、ポイント数が「大当たり（ＪＰ）」となった時に起動される。
【００３０】
景品補充装置４０は、透明な樹脂等により円柱形状に形成されたシリンダー４２と、シリンダー４２内に集積された景品Ｇを下から押し上げるピストン４４と、シリンダー４２の上部開口部から斜め下方に傾斜した傾斜板４６とを備えて構成され、平面視略六角形の遊戯装置１内の頂点位置に配置される。また、傾斜板４６は、図２に示すように、プッシャーテーブル部１０の端部と、ターンテーブル７０との間に、傾斜板４６の端面が来るように配設されており、ピストン４４によって押し上げられ、シリンダー４２の開口部より放出される景品Ｇが、プッシャーテーブル部１０又はターンテーブル７０に落下するように構成されている。このピストン４４の上昇動作は、所定のタイミングで実行される。
【００３１】
本実施の形態の特徴点は、上述した現在のポイント数が所定値に達したことにより「中当たり」となった時に起動される特典動作に関するものである。具体的には、制御装置５０は、現在のポイント数を監視し、「中当たり」に対応するポイント数に達したと判断した際に、「中当たり」モードを設定して該当する特典動作を起動する。
【００３２】
図５は、「中当たり」となった時に起動される特典動作を説明するための図である。（ａ）は定常状態におけるスライドテーブル１４の最後退位置、（ｂ）は定常状態におけるスライドテーブル１４の最前進位置、（ｃ）は「中当たり」モードにおけるスライドテーブル１４の最後退位置、（ｄ）は「中当たり」モードにおけるスライドテーブル１４の最前進位置をそれぞれ示している。同図（ａ）又は（ｂ）に示すように、定常状態において、スライドテーブル１４を構成するアッパーテーブル１４ａとミドルテーブル１４ｂは、互いに重なり合う位置で結合された状態で、固定テーブル１２上を往復移動する。
【００３３】
また、「中当たり」となった場合には、図５（ｂ）に示す最前進位置において、一旦アッパーテーブル１４ａとミドルテーブル１４ｂとが分離し、図５（ｃ）に図示するように、ミドルテーブル１４ｂのみが固定テーブル１２の後縁部まで後退した位置で結合し、その状態で、固定テーブル１２上を往復移動する。また、スライドテーブル１４は、例えば、「中当たり」となった時から所定時間が経過して「中当たり」モードが解除された際に、（ａ）又は（ｂ）に示す定常状態に戻るようになっている。
【００３４】
従って、アッパーテーブル１４ａとミドルテーブル１４ｂが分離した際にスライドさせたアッパーテーブル１４ａのスライド量分、スライドテーブル１４による押し出し領域が拡大されるので、固定テーブル１２上に載置された景品Ｇを特典として確実に払い出すことができる。これによれば、「中当たり」時に、一時的に景品Ｇのペイアウト率を目に見えて高めることが可能となるので、ゲーム性を向上させることができ、プレーヤの遊戯意欲を高めることができる。
【００３５】
次に、本実施の形態におけるプッシャーテーブル部１０の構成について説明する。図６及び図７は、プッシャーテーブル部１０の平面図を一部切り欠いた説明図であり、図８は、図６及び図７のＡ−Ａ´矢視断面図である。
【００３６】
ミドルテーブル１４ｂは、前面部分と側部部分とからなる平面視略口の字形の形状を有し、略口の字の内側部分に、スライドテーブル駆動機構１００及び結合機構２００が配置される。図６は、スライドテーブル１４を往復移動させるスライドテーブル駆動機構１００を、図７は、アッパーテーブル１４ａとミドルテーブル１４ｂを結合・分離させる結合機構２００をそれぞれ図示している。また、図８（ａ）は、「中当たり」モードにおけるスライドテーブル１４の最前進位置、図８（ｂ）は、「中当たり」モードにおけるスライドテーブル１４の最後退位置をそれぞれ示している。
【００３７】
先ず、スライドテーブル駆動機構１００について、図６及び図８を参照して説明する。スライドテーブル１４の後側端部の下方に設置されたスライドテーブル駆動モータ１０２の駆動軸には、一端部にローラ１０６を設けた駆動リンク１０４の他端部が連結されている。図６中に示す一点鎖線の円弧は、駆動リンク１０４がスライドテーブル駆動モータ１０２により回動する際のローラ１０６の軌跡を示している。このスライドテーブル駆動モータ１０２は、図６中時計回りに回転駆動する。
【００３８】
また、アッパーテーブル１４ａは、当該アッパーテーブル１４ａの底部において、当該アッパーテーブル１４ａに固定された受動板１１０を備える。受動板１１０は、スライドテーブル１４の往復移動方向に直行する長穴１１２を有し、長穴１１２にローラ１０６が嵌まり、ローラ１０６の周面が当接するようになっている。そして、スライドテーブル駆動モータ１０２の回転力は、駆動リンク１０４の回転と、ローラ１０６と、長穴１１２とを通じて、アッパーテーブル１４ａを往復移動させる力として伝えられるようになっている。
【００３９】
また、スライドテーブル駆動機構１００は、スライドテーブル駆動モータ１０２の近傍に、スライドテーブル１４の最前進位置を検知する前方センサ１１４と、スライドテーブル１４の最後退位置を検知する後方センサ１１６とを備えて構成される。後述するが、この前方センサ１１４及び後方センサ１１６による検出位置で、ミドルテーブル１４ｂの分離作動及び結合作動の動作タイミングを制御する。
【００４０】
次に、結合機構２００について、図７及び図８を参照して説明する。図７に示すように、前面部分と左右の側部部分とから成る略口の字形のミドルテーブル１４ｂにおいて、左右の側部部分に、ラック２１８，２１８が、結合機構２００を挟んで対向するように配されている。
【００４１】
スライドテーブル１４の後側縁に設置された結合機構駆動モータ２０２の駆動軸には、クランク２０３が固定され、クランク２０３には、主動リンク２０４の一端部が連結されており、主動リンク２０４の略中央部の固定軸Ｂを軸中心として、揺動スライダリンク機構が形成される。
【００４２】
また、主動リンク２０４の他端部には、スライドロッド２０６が連結されている。このスライドロッド２０６は、結合機構駆動モータ２０２の回転に応じて主動リンク２０４が回動することによって、スライドテーブル１４の往復移動方向に移動する。この際、スライドテーブル駆動機構１００により駆動されるアッパーテーブル１４ａに固定されたガイド２０８が、スライドロッド２０６の往復方向への移動をガイドする。
【００４３】
また、スライドロッド２０６は、スライドテーブル１４の押し出し方向側（前側）において、往動部材２１０を固定して備え、この往動部材２１０の両端部には、それぞれ第１アーム２１２，２１２の一端部が回転自在に連結される。そして、この第１アーム２１２の他端部には、第２アーム２１４の一端部が回転自在に連結される。さらに、第２アーム２１４の他端部は、ミドルテーブル１４ｂに設けられた平行軸の歯車であるラック２１８と歯合するラック２１５を備えている。
【００４４】
また、第１アーム２１２及び第２アーム２１４は、その連結位置において、固定軸Ｃによりアッパーテーブル１４ａと固定されている。従って、結合機構駆動モータ２０２の回転駆動に応じて、ラック２１８とラック２１４とを歯合させたりさせなかったりすることができる。これにより、アッパーテーブル１４ａとミドルテーブル１４ｂとを結合したり分離したりすることができる。
【００４５】
また、結合機構２００は、結合機構駆動モータ２０２の近傍に、クランク２０３が所定角度に位置することを検知する原点センサ２２０を備える。この原点センサ２２０の配設位置は、アッパーテーブル１４ａとミドルテーブル１４ｂが結合した状態、即ち図７において実線で表した主動リンク２０４の位置を検知する位置である。
【００４６】
次に、「中当たり」に対応する特典動作に係る制御装置５０の動作について、図９に示す機能ブロック及び図５を参照して説明する。
【００４７】
定常状態において、制御装置５０は、スライドテーブル駆動モータ１０２に駆動信号を出力して駆動リンク１０４を回転させることにより、スライドテーブル１４を往復移動させる。この際、アッパーテーブル１４ａとミドルテーブル１４ｂは、互いに重なり合う位置で結合された状態で、固定テーブル１２上を往復移動する（図５（ａ）の状態。）。
【００４８】
また、制御装置５０は、現在のポイント数に応じて「中当たり」モードを設定し、スライドテーブル１４が最前進位置（図５（ｂ）の状態）に達した際に入力される、前方センサ１１４からの検知信号に応じて、結合機構駆動モータ２０２に分離作動信号を出力して主動リンク２０４を回動させることにより、アッパーテーブル１４ａとミドルテーブル１４ｂを分離させる。
【００４９】
次いで、制御装置５０は、スライドテーブル１４が最後退位置（図５（ｃ）の状態）に達した際に入力される、後方センサ１１６からの検知信号に応じて、結合機構駆動モータ２０２に結合作動信号を出力して主動リンク２０４を回動させることにより、アッパーテーブル１４ａとミドルテーブル１４ｂを結合させて往復移動させる（図５（ｄ）の状態。）。
【００５０】
さらに、制御装置５０は、例えば、「中当たり」モードを設定してからの経過時間を監視し、所定時間（例えば、１分）が経過した際に、「中当たり」モードを解除する。
【００５１】
即ち、制御装置５０は、後方センサ１１６から入力される検知信号に応じて、先ず、結合機構駆動モータ２０２に分離作動信号を出力して主動リンク２０４を回動させることにより、アッパーテーブル１４ａとミドルテーブル１４ｂを分離させる。次いで、制御装置５０は、前方センサ１１４から入力される検知信号に応じて、結合機構駆動モータ２０２に結合作動信号を出力して主動リンク２０４を回動させることにより、アッパーテーブル１４ａとミドルテーブル１４ｂを結合させて、スライドテーブル１４を定常状態に戻す（図５（ｂ）参照。）。
【００５２】
尚、本実施の形態においては、アッパーテーブル１４ａの最前進位置を検知する前方センサ１１４と、最後退位置を検知する後方センサ１１６の２つのセンサを備えることとしたが、複数のセンサを配設して、駆動リンク１０４の角度を検知することにより、アッパーテーブル１４ａを後退させる際のスライド量を段階的に変化させて、スライドテーブル１４による押し出し領域を段階的に拡大させることとしてもよい。
【００５３】
具体的には、所望のセンサからの検知信号が入力された場合に、当該位置において、結合機構駆動モータ２０２を回転駆動させることにより、アッパーテーブル１４ａとミドルテーブル１４ｂとを結合させる。これにより、例えば、ポイント数に応じて、該当するセンサから検知信号が入力されるまで、アッパーテーブル１４ａとミドルテーブル１４ｂを分離させることにより、アッパーテーブル１４ａのスライド量を段階的に変化させることができる。
【００５４】
以上、本発明を適用した一実施の形態例について説明したが、本発明は、上記したものに限らず適宜変更可能である。
【００５５】
上記した実施の形態においては、スライドテーブル１４を、アッパーテーブル１４ａと、ミドルテーブル１４ｂとの上下二層の２つのテーブルで構成した場合について説明したが、ミドルテーブル１４ｂに相当する部分を複数枚のテーブルで構成することとしてもよい。
【００５６】
図１０は、特典動作の変形例を説明するための図である。同図に示すスライドテーブル１４は、上記した実施の形態におけるミドルテーブル１４ｂに相当する部分が、第１ミドルテーブル１４ｃと第２ミドルテーブル１４ｄの２枚で構成される。本変形例におけるプッシャーテーブル部１０は、第１ミドルテーブル１４ｃ及び第２ミドルテーブル１４ｄをそれぞれアッパーテーブル１４ａと結合・分離させるためのモータ等で構成される結合機構（結合機構２００と同様の結合機構；図示略）を別個に備えて構成される。
【００５７】
例えば、現在のポイント数が“α”となった場合を「小当たり」とし、“β”以上となった場合を「中当たり」とする。先ず、「小当たり」となった場合には、図１０（ｂ）に図示するように、第１ミドルテーブル１４ｃは、当該第１ミドルテーブル１４ｃの押出面が、第２ミドルテーブル１４ｄの押出面よりスライドテーブル１４の押し出し方向側に位置するようにアッパーテーブル１４ａと結合される。さらに、「中当たり」となった場合には、図１０（ｃ）に図示するように、第２ミドルテーブル１４ｄが、当該第２ミドルテーブル１４ｄの押出面が、第１ミドルテーブル１４ｃの押出面よりさらに押し出し方向側に位置するようにアッパーテーブル１４ａと結合される。
【００５８】
従って、スライドテーブル１４の往復移動により景品払出溝６０に落下させる景品Ｇの量を、現在のポイント数、即ち「小当たり」か「中当たり」かに応じて調整することができる。
【００５９】
また、上記した実施の形態においては、スライドテーブル駆動機構１００により往復駆動されるテーブルを上段（アッパーテーブル１４ａ）に、当該アッパーテーブル１４ａに結合・分離可能に構成されて従動駆動されてスライドテーブル１４の押し出し領域を拡大する役割を果たすテーブルを下段（ミドルテーブル１４ｂ）に配置してスライドテーブル１４を構成した場合について説明したが、上下が逆の構成としても構わない。即ち、この場合には、ミドルテーブルが往復駆動されるように構成し、アッパーテーブルがミドルテーブルから結合・分離可能に構成されて、当該ミドルテーブルにより従動駆動される。この場合の構成例を図１１に示す。
【００６０】
図１１（ａ）は、定常状態におけるスライドテーブル１４の最後退位置、（ｂ）は「中当たり」モードにおけるスライドテーブル１４の最後退位置をそれぞれ示している。本変形例におけるプッシャーテーブル１０は、ミドルテーブル１４ｅを往復駆動するためのモータ等で構成されるスライドテーブル駆動機構（スライドテーブル駆動機構１００と同様のスライドテーブル駆動機構；図示略）と、アッパーテーブル１４ｆをミドルテーブル１４ｅから結合・分離させるためのモータ等で構成される結合機構（結合機構２００と同様の結合機構；図示略）を備えて構成される。また、アッパーテーブル１４ｆは、防止部Ｐ１により、アッパーテーブル１４ｆとミドルテーブル１４ｅとの間に景品Ｇが入り込まないようになっている。
【００６１】
図１１（ｂ）に示すように、「中当たり」モードとなった時に、アッパーテーブル１４ｆは、当該アッパーテーブル１４ｆの押出面が、ミドルテーブル１４ｅの押出面よりスライドテーブル１４の押出し方向側に位置するようにミドルテーブル１４ｅと結合される。
【００６２】
従って、スライドテーブル１４の押し出し領域が拡大されるので、固定テーブル１２上に載置された景品Ｇを特典として確実に払い出すことができる。
【００６３】
また、上記した実施の形態においては、景品を獲得する遊戯装置に適用した場合を例にとって説明したが、固定テーブル上を往復移動するスライドテーブルにより押し出されるメダルが払い出される、いわゆるメダルゲームに適用することも可能である。
【００６４】
【発明の効果】
以上説明したように、本発明を適用した景品押出装置によれば、押出部材の有する被駆動部材と従動部材の結合位置を変更し、固定テーブル上を周期運動する押出部材の運動到達領域を変更することができる。これにより、載置台上から押し出される景品の量を変化させることができる。
【００６５】
また、被駆動部材と従動部材の結合位置を段階的に変更することができる。これにより、押出部材の運動到達領域を可変させることができるので、載置台上から押し出される景品の量を段階的に変化させることができる。
【００６６】
そして、押出部材が往復運動する際の一方の方向転換位置で被駆動部材から従動部材を分離させ、他方の方向転換位置で被駆動部材に従動部材を結合させるので、従動部材の往復運動方向の長さに応じて押出部材の運動到達領域を変更することができる。
【００６７】
さらに、押出部材の有する被駆動部材と従動部材とが重なり合った状態から、被駆動部材と従動部材とを分離させた状態とに変更することができる。このため、景品押出装置の形態を変化させることによる意外性のある演出を行うことができる。
【００６８】
また、押出部材が複数の従動部材を有する場合においては、それぞれ対応する結合機構により被駆動部材と結合・分離されるので、被駆動部材と従動部材それぞれとが結合される結合位置に応じて、押出部材の運動到達領域を可変させることができる。これによれば、載置台上から押し出される景品の量をより細かく変化させることができる。
【００６９】
そして、本発明を適用した景品押出装置を備えた遊戯装置によれば、例えば、所定のタイミングにおいて、結合機構の結合作動及び分離作動の作動タイミングを制御し、景品押出装置の備える押出部材の運動到達領域を変更することができるので、遊戯装置外部に景品を送出する景品払出溝が設置された押出部材の一端側から落下させてプレーヤに払い出す景品の量を調整することができる。
【図面の簡単な説明】
【図１】本発明を適用した一実施の形態における遊戯装置の外観図の一例を示す図である。
【図２】遊戯装置の平面図の一例を示す図である。
【図３】遊戯装置の１つのステーションに係る要部正面図の一例を示す図である。
【図４】遊戯装置の１つのステーションに係る要部縦断面図の一例を示す図である。
【図５】特典動作を説明するための図である。
【図６】プッシャーテーブル部の平面図を一部切り欠いた説明図である。
【図７】プッシャーテーブル部の平面図を一部切り欠いた説明図である。
【図８】プッシャーテーブル部の側面図である。
【図９】遊戯装置の機能ブロックの一例を示す図である。
【図１０】特典動作の変形例を説明するための図である。
【図１１】特典動作の変形例を説明するための図である。
【符号の説明】
１　　　　　　　　遊戯装置
１０　　　　　　プッシャーテーブル部
１２　　　　　固定テーブル
１４　　　　　スライドテーブル
１４ａ　　　アッパーテーブル
１４ｂ　　　ミドルテーブル
１００　　スライドテーブル駆動機構
１０２　スライドテーブル駆動モータ
１０４　駆動リンク
１０６　ローラ
１１０　受動板
１１２　長穴
１１４　前方センサ
１１６　後方センサ
２００　　結合機構
２０２　結合機構駆動モータ
２０３　クランク
２０４　主動リンク
２０６　スライドロッド
２０８　ガイド
２１０　往動部材
２１２　第１アーム
２１４　第２アーム
２１５　ラック
２１８　ラック
２２０　原点センサ
Ｂ　　　固定軸
Ｃ　　　固定軸
２０　　　　　　掬い上げ装置
３０　　　　　　ＪＰ用払出装置
４０　　　　　　景品補充装置
５０　　　　　　制御装置
６０　　　　　　景品払出溝
７０　　　　　　ターンテーブル
８０　　　　　　操作部
Ｇ　　　　　　　　景品
【図１】
2004105436.tif 000003
【図２】
2004105436.tif 000004
【図３】
2004105436.tif 000005
【図４】
2004105436.tif 000006
【図５】
2004105436.tif 000007
【図６】
2004105436.tif 000008
【図７】
2004105436.tif 000009
【図８】
2004105436.tif 000010
【図９】
2004105436.tif 000011
【図１０】
2004105436.tif 000012
【図１１】
2004105436.tif 000013